(57)【要約】【課題】本発明では、組立作業を迅速に行うことができる構造を有する催し物用看板とその組立方法を提供することを課題とする。【解決手段】催し物用看板Ｂは、催し物の内容Ｃが表示される看板用紙１と、この看板用紙１よりも短く形成されるとともに、その表面２ａが曲面状に形成される看板本体２と、この看板本体２の表面２ａを覆うように巻かれた看板用紙１の両端部１ａ，１ｂを、看板本体２の裏面側で結合させる結合体３とを備えている。【選択図】        図１
2004212837.tif 000002
【特許請求の範囲】
【請求項１】
催し物の内容が表示される内容表示帯と、
この内容表示帯よりも短く形成されるとともに、その表面が曲面状に形成される看板本体と、
この看板本体の表面を覆うように巻かれた前記内容表示帯の両端部を、前記看板本体の裏面側で結合させる結合体とを備えたことを特徴とする催し物用看板。
【請求項２】
前記看板本体が複数に分割されて構成されていることを特徴とする請求項１に記載の催し物用看板。
【請求項３】
前記内容表示帯には、
その表面に前記催し物の内容が表示されるとともに、
その裏面にその幅方向に沿って、かつその幅方向両端縁間にわたって形成されるしわ抑制体が前記内容表示帯の長手方向で互いに離間するように複数配設されて接合されることを特徴とする請求項１または請求項２に記載の催し物用看板。
【請求項４】
前記結合体は、
前記内容表示帯の両端部をそれぞれ脱着自在に挟持する挟持体と、
これらの挟持体の一方にその一端が結合される第１の紐体と、
この第１の紐体の他端が結合される回転軸と、この回転軸を一方向のみに回転可能に支持し、かつ前記挟持体の他方または前記挟持体の他方に結合される第２の紐体に固定される支持体とを有するラチェット装置と、
を備えたことを特徴とする請求項１乃至請求項３のうちのいずれか１項に記載の催し物用看板。
【請求項５】
前記しわ抑制体が繊維で形成された請求項３に記載の催し物用看板の組立方法であって、
前記内容表示帯を前記看板本体に取り付ける前に、前記しわ抑制体を一旦加湿させて乾燥させることで前記繊維を縮ませる第１の工程と、
この繊維の縮みにより前記内容表示帯の表面をその幅方向中央部が突出するように湾曲させてから前記内容表示帯を前記看板本体に巻き付ける第２の工程と、この看板本体の裏面側で前記内容表示帯の両端部を結合させる第３の工程とを有することを特徴とする催し物用看板の組立方法。
【発明の詳細な説明】
【０００１】
【発明の属する技術分野】
本発明は、宴会場などにおいて使用する催し物用看板に関するものである。
【０００２】
【従来の技術】
ホテルや旅館などの宴会場や会議場などの会場（以下、「催し物会場」という。）において催し物が行われる際には、その催し物の内容などを表示した大型の催し物用看板（以下、単に「看板」ともいう。）を催し物会場内に設置することが多い。従来、この種の看板として、２枚または３枚の部材を並べて１枚の看板とするものがある。そして、このような看板を催し物会場に設置する場合は、催し物会場において作業者が釘を打ち付けることで各部材同士を固定させていたため、この作業を迅速、かつ正確に行うには熟練した作業者が必要であり、その分費用が嵩むという問題があった。
【０００３】
このような問題を解消するために、本出願の発明者は、以前に看板を構成する複数の部材の裏面に断面略Ｕ字形のパイプ受けをそれぞれ設け、このパイプ受けにパイプを嵌合させることで簡単に組み立てることができる構造の看板を発明している。（たとえば、特許文献１参照）。さらに、この看板は、その表面の周囲にガイド溝が形成されることから、素人であっても表面に貼り付けた紙の端部を真っ直ぐ綺麗に切ることができる構造となっている。
【０００４】
【特許文献１】
特開２０００−１１２４１４号公報（第３図）
【０００５】
【発明が解決しようとする課題】
ところで、前記のような看板では、その表面に紙を貼り付け、その後ガイド溝に倣ってカッターで紙の端部を切るだけでよいので、素人でも簡単に看板を組み立てることができていた。しかし、近年では、この看板よりもさらに迅速に組立作業を行うことができる看板の開発が望まれていた。
【０００６】
そこで、本発明の課題は、組立作業を迅速に行うことができる構造を有する催し物用看板とその組立方法を提供することにある。
【０００７】
【課題を解決するための手段】
前記課題を解決した本発明のうちの請求項１に記載の発明は、催し物の内容が表示される内容表示帯と、この内容表示帯よりも短く形成されるとともに、その表面が曲面状に形成される看板本体と、この看板本体の表面を覆うように巻かれた前記内容表示帯の両端部を、前記看板本体の裏面側で結合させる結合体とを備えたことを特徴とする。
【０００８】
請求項１に記載の発明によれば、内容表示帯を看板本体の曲面状の表面を覆うように巻いた後、その両端部を結合体により結合させるだけで作業が完了するので、素人でも簡単に、かつ迅速に催し物用看板を組み立てることができる。また、看板本体の表面が曲面状に形成されるので、この曲面に倣って内容表示帯を看板本体に巻き付け、看板本体の裏面側で内容表示帯の両端部を強く引っ張りつつ結合させることができる。そのため、この内容表示帯にしわが寄ることがなく、素人でも催し物用看板を綺麗に仕上げることができる。
【０００９】
請求項２に記載の発明は、請求項１に記載の発明の構成において、前記看板本体が複数に分割されて構成されていることを特徴とする。
【００１０】
請求項２に記載の発明によれば、請求項１に記載の発明による効果に加え、看板本体が複数に分割されているので、その持ち運びが容易になるとともに、看板を倉庫などに収容する際に場所を取らず倉庫内の他のスペースを有効に利用することができる。
【００１１】
請求項３に記載の発明は、請求項１または請求項２に記載の発明の構成において、前記内容表示帯には、その表面に前記催し物の内容が表示されるとともに、その裏面にその幅方向に沿って、かつその幅方向両端縁間にわたって形成されるしわ抑制体が前記内容表示帯の長手方向で互いに離間するように複数配設されて接合されることを特徴とする。
【００１２】
請求項３に記載の発明によれば、請求項１または請求項２に記載の発明による効果に加え、内容表示帯の裏面に接合される複数のしわ抑制体により、内容表示帯の幅方向におけるしわの発生が抑制されるとともに、その幅方向の両端の反りをも防止することができる。また、各しわ抑制体が内容表示帯の長手方向で互いに離間して配設されるので、内容表示帯を長手方向で曲げることは可能である。そのため、この内容表示帯を、看板本体へ確実に取り付けることができる。
【００１３】
請求項４に記載の発明は、請求項１乃至請求項３のうちのいずれか１項に記載の発明の構成において、前記結合体は、前記内容表示帯の両端部をそれぞれ脱着自在に挟持する挟持体と、これらの挟持体の一方にその一端が結合される第１の紐体と、この第１の紐体の他端が結合される回転軸と、この回転軸を一方向のみに回転可能に支持し、かつ前記挟持体の他方または前記挟持体の他方に結合される第２の紐体に固定される支持体とを有するラチェット装置と、を備えたことを特徴とする。
【００１４】
請求項４に記載の発明によれば、請求項１乃至請求項３のうちのいずれか１項に記載の発明による効果に加え、回転軸が一方向のみに回転するラチェット装置を利用して内容表示帯の両端部を引っ張ることで、内容表示帯に強い張力をかけることができるので、しわの発生をさらに抑制することができる。
【００１５】
請求項５に記載の発明は、前記しわ抑制体が繊維で形成された請求項３に記載の催し物用看板の組立方法であって、前記内容表示帯を前記看板本体に取り付ける前に、前記しわ抑制体を一旦加湿させて乾燥させることで前記繊維を縮ませる第１の工程と、この繊維の縮みにより前記内容表示帯の表面をその幅方向中央部が突出するように湾曲させてから前記内容表示帯を前記看板本体に巻き付ける第２の工程と、この看板本体の裏面側で前記内容表示帯の両端部を結合させる第３の工程とを有することを特徴とする。
【００１６】
請求項５に記載の発明によれば、請求項３に記載の発明による効果に加え、内容表示帯の取付前に、しわ抑制体を一旦加湿させて乾燥させると、繊維が縮むことにより内容表示帯の表面の幅方向中央部を突出させることができる。そのため、その後内容表示帯を看板本体に巻き付け、その両端部を結合するだけで、この内容表示帯の幅方向両端縁と看板本体の表面とが密着されることとなり、たとえば看板を下から見たときの見栄えを良くすることができる。
【００１７】
【発明の実施の形態】
以下、図面を参照して、本発明に係る催し物用看板とその組立方法の詳細について説明する。参照する図面において、図１は本発明に係る催し物用看板を示す分解斜視図であり、図２は図１の催し物用看板を組み立てて表側から見た状態を示す正面図（ａ）と、裏側から見た状態を示す背面図（ｂ）である。また、図３は図１の催し物用看板を組み立てる前に看板用紙を加湿した状態を示す側面図（ａ）と、加湿した看板用紙が乾燥した状態を示す斜視図（ｂ）であり、図４は看板本体の他の実施形態を示す要部拡大斜視図である。
【００１８】
図１に示すように、催し物用看板Ｂは、長尺状の看板用紙（内容表示帯）１と、この看板用紙１よりも短く形成される看板本体２と、この看板本体２に巻かれた看板用紙１の両端部１ａ，１ｂを結合させる結合体３とを主に備えている。看板用紙１には、その表面１ｃに催し物の内容Ｃ（図２（ａ）参照）が書き込まれて表示されるとともに、その裏面１ｄにコア材（しわ抑制体）４が貼り付けられている。また、この看板用紙１の両端部１ａ，１ｂ内（看板用紙１が折り返された部分とコア材４の端部との間の隙間）には、アクリルなどで形成された棒Ａが接合されている。なお、以下の説明においては、催し物用看板Ｂの表面側を前方、裏面側を後方とし、その短手方向を上下方向、その長手方向を左右方向として説明することとする。
【００１９】
看板本体２は、その左右方向における中央部が前後に膨らんでおり、この中央部から両端に向かうにつれて緩い円弧で徐々に細くなっていく形状となることで、その表面２ａがその左右方向の中央部が突出するような曲面状に形成されている。また、この看板本体２は、その両端部２ｂが曲面状に形成されている。そして、この看板本体２は、左右対称となる２つの看板本体部材２１，２２に分割されて構成され、これらの看板本体部材２１，２２は折り返し式の留め具であるファスナＦで結合されている。これらの看板本体部材２１，２２は、それぞれ周囲の木枠、補強用の縦桟、および看板本体２の表面２ａを形成する表面板で主に構成されている。さらに、これらの看板本体部材２１，２２が合わさる部分に位置する木枠には、後方に向かって突出する突出部２１ａ，２２ａがそれぞれ形成されている。
【００２０】
結合体３は、看板用紙１の両端部１ａ，１ｂをそれぞれ脱着自在に挟持する挟持体３１と、これらの挟持体３１に結合される結束バンド（紐体）３２と、ラチェット装置３３とで主に構成されている。挟持体３１は、一般に新聞等を挟むために用いられるものであり、そのつまみ３１ａを回すことにより２つの挟持部３１ｂを開閉させて前記両端部１ａ，１ｂとの脱着を行うものである。結束バンド３２は、一般に梱包に用いられる帯状の部材である。ラチェット装置３３は、支持体３３ａと、この支持体３３ａに揺動自在に支持されるレバー３３ｂと、このレバー３３ｂを揺動することで一方向のみに回転する回転軸３３ｃとを有している。そして、この回転軸３３ｃに看板用紙１の右端１ｂ側の結束バンド３２が結合され、支持体３３ａに看板用紙１の左端１ｂ側の結束バンド３２が結合（固定）されている。
【００２１】
コア材４は、一般に段ボールの内部に設けられる波状のボール紙であり、詳しくは看板用紙１と略同じ幅で形成されたボール紙が波状に折り曲げられて形成されている。そのため、コア材４の片面に形成される複数の山部が、看板用紙１の幅方向両端縁１ｅ，１ｆ間にわたってそれぞれ形成されることとなり、また、これらの複数の山部が看板用紙１の長手方向で互いに離間するように配設されてこの看板用紙１に接合されることとなる。さらに、このコア材４の両端から所定距離だけ離れた部分、すなわち看板本体２の両端部２ｂに当接する部分には、補強用のボール紙６が接合されている。なお、このコア材４を形成するボール紙は、周知のように繊維で形成されている。
【００２２】
次に、この催し物用看板Ｂの組立方法について説明する。
まず、図３（ａ）に示すように、看板用紙１を看板本体２に取り付ける前に、その裏面１ｂに接合されたコア材４を霧吹き５で一旦加湿させると、コア材４の繊維が伸びて、看板用紙１の幅方向両端縁１ｅ，１ｆが一旦前方に曲げられる。その後、このコア材４が乾燥すると、図３（ｂ）に示すように、その繊維が縮んで、看板用紙１の幅方向両端縁１ｅ，１ｆが後方に曲げられる（第１の工程）。すなわち、この繊維の縮みにより、看板用紙１の表面１ｃが、その幅方向中央部が前方に突出するように湾曲することとなる。
【００２３】
そして、図１に示すように、この看板用紙１を看板本体２の曲面状の表面２ａを覆うように巻いた後（第２の工程）、その両端部１ａ，１ｂに、結束バンド３２を介してラチェット装置３３が結合された左側の挟持体３１と、結束バンド３２のみが結合された右側の挟持体３１とを取り付ける。次に、図２（ｂ）に示すように、この看板本体２の裏面側で右側の結束バンド３２をラチェット装置３３の回転軸３３ｃ（図１参照）に取り付け、ラチェット装置３３のレバー３３ｂ（図１参照）を左右に揺動させることで、看板用紙１の両端部１ａ，１ｂが強く引っ張られ、看板本体２に確実に固定される（第３の工程）。
【００２４】
以上によれば、本実施形態において、次のような効果を得ることができる。
（１）看板用紙１を看板本体２の表面２ａを覆うように巻いた後、その両端部１ａ，１ｂを結合体３で結合させるだけで作業が完了するので、素人であってもその組立作業を簡単に、かつ迅速に行うことができる。
（２）看板本体２の表面２ａが曲面状に形成されるので、この曲面に倣って看板用紙１を看板本体２に巻き付け、看板本体２の裏面側で看板用紙１の両端部１ａ，１ｂを強く引っ張りつつ結合させることができる。そのため、この看板用紙１にしわが寄ることがなく、素人でも催し物用看板Ｂを綺麗に仕上げることができる。
【００２５】
（３）看板本体２が２つに分割されているので、その持ち運びが容易になるとともに、倉庫などに収容する際に場所を取らず倉庫内の他のスペースを有効に利用できる。
（４）看板用紙１に接合されるコア材４により、看板用紙１のしわの発生が抑制されるとともに、その幅方向両端縁１ｅ，１ｆの反りをも防止することができる。
（５）ラチェット装置３３を利用することで看板用紙１に強い張力をかけることができるので、しわの発生をさらに抑制できる。
【００２６】
（６）看板用紙１の取付前に、コア材４を一旦加湿させて乾燥させると、繊維の縮みにより看板用紙１の表面１ｃの幅方向中央部が突出するので、その幅方向両端縁１ｅ，１ｆと看板本体２の表面２ａとが密着されることとなり、その見栄えを良くすることができる。
（７）看板本体部材２１，２２が合わさる部分に位置する木枠に、後方に向かって突出する突出部２１ａ，２２ａが形成されるので、ラチェット装置３３で看板用紙１を強く引っ張ったとしても、看板本体部材２１，２２がその合わせ面から２つに折れることがなく、確実にその組立作業を行うことができる。
【００２７】
（８）看板用紙１の両端部１ａ，１ｂ内に棒Ａが接合されることにより、この看板用紙１をラチェット装置３３で引っ張る際に挟持体３１の挟持部３１ｂの先端が棒Ａに引っ掛かるので、この挟持体３１からの両端部１ａ，１ｂの抜けを確実に防止することができる。
（９）看板本体２の両端部２ｂが曲面状に形成されるので、看板用紙１を看板本体２の裏面側から容易に引っ張ることができる。また、コア材４には、その看板本体２の両端部２ｂと当接する部分に補強用のボール紙６が接合されるので、看板用紙１を強く引っ張っても看板本体２の両端部２ｂでコア材４が潰れず、看板用紙１を確実に固定することができる。
【００２８】
以上、本発明は、前記実施形態に限定されることなく、様々な形態で実施される。
本実施形態では、看板本体２の両端部２ｂを曲面状に形成したが、本発明はこれに限定されず、図４に示すように、両端部２ｃ（一端のみ図示）に回転自在に支持されるローラＲを設けてもよい。このような構造によれば、看板用紙１を看板本体２の裏面側から確実に強く引っ張ることができる。
【００２９】
本実施形態では、挟持体３１、結束バンド３２およびラチェット装置３３とで構成される結合体３で看板用紙１の両端部１ａ，１ｂを結合させたが、本発明はこれに限定されず、たとえば看板用紙の両端部を挟む挟持体を単純に紐で結ぶようにしてもよい。また、ラチェット装置３３は、本実施形態のようなレバー３３ｂを揺動することで回転軸３３ｃを回転させるタイプに限定されず、どのようなタイプであってもよい。
【００３０】
本実施形態では、ラチェット装置３３の支持体３３ａを結束バンド３２に結合させたが、本発明はこれに限定されず、たとえば挟持体３１に直接支持体３３ａを固定させてもよい。
また、コア材４の加湿は、看板用紙１の取付前に行われていればいつであってもよい。たとえば、看板業者から催し物用会場に看板用紙１を搬送する前に加湿させておけば、到着時には乾燥しているので、その組立作業をより迅速に行うことができる。
【００３１】
本実施形態では、看板本体２を２つに分割したが、本発明はこれに限定されず、いくつに分割してもよい。また、内容表示帯は、本実施形態のように紙に限定されず、たとえば布などであってもよい。
本実施形態では、しわ抑制体として段ボールなどに利用される波状のボール紙を採用したが、本発明はこれに限定されず、たとえば看板用紙１の幅方向両端縁１ｅ，１ｆにわたって形成された棒をその長手方向で互いに離間するように複数配設して、この看板用紙１に接合するようにしてもよい。
【００３２】
【発明の効果】
請求項１に記載の発明によれば、内容表示帯を看板本体の表面を覆うように巻いた後、その両端部を結合体で結合させるだけで作業が完了するので、素人であってもその組立作業を簡単に、かつ迅速に行うことができる。
【００３３】
請求項２に記載の発明によれば、請求項１に記載の発明による効果に加え、看板本体が複数に分割されているので、看板を倉庫などに収容する際に場所を取らず倉庫内の他のスペースを有効に利用できる。
【００３４】
請求項３に記載の発明によれば、請求項１または請求項２に記載の発明による効果に加え、内容表示帯に接合される複数のしわ抑制体により、そのしわの発生が抑制されるとともに、その幅方向の両端の反りをも防止することができる。
【００３５】
請求項４に記載の発明によれば、請求項１乃至請求項３のうちのいずれか１項に記載の発明による効果に加え、ラチェット装置を利用することで内容表示帯に強い張力をかけることができるので、しわの発生をさらに抑制できる。
【００３６】
請求項５に記載の発明によれば、請求項３に記載の発明による効果に加え、内容表示帯の取付前に、しわ抑制体を一旦加湿させて乾燥させると、繊維の縮みにより内容表示帯の表面の幅方向中央部が突出するので、その幅方向両端縁と看板本体の表面とが密着されることとなり、その見栄えを良くすることができる。
【図面の簡単な説明】
【図１】本発明に係る催し物用看板を示す分解斜視図である。
【図２】図１の催し物用看板を組み立てて表側から見た状態を示す正面図（ａ）と、裏側から見た状態を示す背面図（ｂ）である。
【図３】図１の催し物用看板を組み立てる前に看板用紙を加湿した状態を示す側面図（ａ）と、加湿した看板用紙が乾燥した状態を示す斜視図（ｂ）である。
【図４】図４は看板本体の他の実施形態を示す要部拡大斜視図である。
【符号の説明】
Ｂ              催し物用看板
１              看板用紙（内容表示帯）
１ａ，１ｂ      両端部
１ｃ            表面
１ｄ            裏面
２              看板本体
２ａ            表面
２１，２２      看板本体部材
３              結合体
３１            挟持体
３２            結束バンド（紐体）
３３            ラチェット装置
３３ａ          支持体
３３ｂ          レバー
３３ｃ          回転軸
Ｃ              催し物の内容
４              コア材（しわ抑制体）
【図１】
2004212837.tif 000003
【図２】
2004212837.tif 000004
【図３】
2004212837.tif 000005
【図４】
2004212837.tif 000006